(57)【要約】【課題】  情報表示用の光源として、機器内に本来は表示用途以外の目的で設けられた光源を共用し、表示すべき情報の種類の数よりも表示用の光源の数を減少させる。【解決手段】  原稿に沿って副走査移動を行ないつつ、ＬＥＤアレイ１０４により原稿を照明しフォトダイオード１０２で原稿の画像データを読み取るＣＩＳ１０１を所定の表示ポジションへ移動し、ＬＥＤアレイ１０４を駆動して装置状態に関する情報ないし警告情報を表示する。たとえば表示手段の表示ポジション（ｂ１〜ｂ５）を、原稿の読取可能な副走査範囲に沿って配置し、実行中の画像読取位置に関する情報を表示する。また、表示ポジション（ａ１〜ａ４）を原稿の読取可能な副走査範囲外に配置し、インクやトナーなどの画像処理に必要な資源に関する情報や警告情報を表示する。【選択図】  図３
2007134855.tif 000002
【特許請求の範囲】
【請求項１】
原稿に沿って副走査移動を行ないつつ、光源により原稿を照明し原稿の画像データを読み取る画像読取手段と、
前記画像読取手段の副走査移動を行なうための駆動手段と、
前記駆動手段により前記画像読取手段を所定の表示ポジションへ移動し、前記画像読取手段の光源を駆動して装置状態に関する情報ないし警告情報を表示する表示手段を有することを特徴とする画像処理装置。
【請求項２】
前記表示手段の前記表示ポジションが前記画像読取手段の原稿の読取可能な副走査範囲に沿って配置され、前記画像読取手段の画像読取中に駆動される光源の発光を用いて実行中の画像読取位置に関する情報を前記表示手段により表示することを特徴とする請求項１に記載の画像処理装置。
【請求項３】
前記表示手段の前記表示ポジションが前記画像読取手段の原稿の読取可能な副走査範囲外に配置され、前記駆動手段により前記画像読取手段を当該表示ポジションへ移動し、前記画像読取手段の光源を駆動して前記装置状態に関する情報ないし警告情報の表示を行なうことを特徴とする請求項１に記載の画像処理装置。
【請求項４】
前記画像読取手段の光源がそれぞれ異なる色で発光する複数の光源から構成され、発光させる光源を選択することにより前記表示に複数色の発光色表現を用いることを特徴とする請求項３に記載の画像処理装置。
【請求項５】
前記画像読取手段の光源を点滅制御する、あるいはその点灯時間を制御する発光制御を行なうことにより、それぞれの発光制御において異なる情報を表示することを特徴とする請求項３に記載の画像処理装置。
【請求項６】
原稿に沿って副走査移動を行ないつつ、光源により原稿を照明し原稿の画像データを読み取る画像読取手段と、前記画像読取手段の副走査移動を行なうための駆動手段を有する画像処理装置の制御方法において、
前記駆動手段により前記画像読取手段を所定の表示ポジションへ移動し、前記画像読取手段の光源を駆動して装置状態に関する情報ないし警告情報を表示することを特徴とする画像処理装置の制御方法。
【請求項７】
前記表示手段の前記表示ポジションが前記画像読取手段の原稿の読取可能な副走査範囲に沿って配置され、前記画像読取手段の画像読取中に駆動される光源の発光を用いて実行中の画像読取位置に関する情報を前記表示手段により表示することを特徴とする請求項６に記載の画像処理装置の制御方法。
【請求項８】
前記表示手段の前記表示ポジションが前記画像読取手段の原稿の読取可能な副走査範囲外に配置され、前記駆動手段により前記画像読取手段を当該表示ポジションへ移動し、前記画像読取手段の光源を駆動して前記装置状態に関する情報ないし警告情報の表示を行なうことを特徴とする請求項６に記載の画像処理装置の制御方法。
【請求項９】
前記画像読取手段の光源がそれぞれ異なる色で発光する複数の光源から構成され、発光させる光源を選択することにより前記表示に複数色の発光色表現を用いることを特徴とする請求項８に記載の画像処理装置の制御方法。
【請求項１０】
前記画像読取手段の光源を点滅制御する、あるいはその点灯時間を制御する発光制御を行なうことにより、それぞれの発光制御において異なる情報を表示することを特徴とする請求項８に記載の画像処理装置の制御方法。
【発明の詳細な説明】
【技術分野】
【０００１】
本発明は、原稿に沿って副走査移動を行ないつつ、光源により原稿を照明し原稿の画像データを読み取る画像読取手段、および前記画像読取手段の副走査移動を行なうための駆動手段を有する画像処理装置、および画像処理装置の制御方法に関するものである。
【背景技術】
【０００２】
従来、電子機器や情報処理装置のオペレーションパネルにおいて、文字表現などを必要としない装置情報（装置の状態（ステータス）情報や警告情報などを含む）の表示には、発光手段ないし表示用の光源が用いられている。現在では、このような発光手段ないし表示用の光源として最も多く用いられているのはＬＥＤ（発光ダイオード）である。
【０００３】
そして、この種の表示用途では、表示情報の種類に対してそれぞれ専用のＬＥＤを配置するのが普通である。たとえばよく使われるものとして電源ＯＮ／ＯＦＦ用ＬＥＤ、エラーＬＥＤなどがある。またプリンタ、スキャナ、ファクシミリやその複合機等では次のようなＬＥＤが使われている。例えばコピー、スキャン、プリント、ＦＡＸ等のモード選択用ＬＥＤ、カラー、モノクロを選択するＬＥＤ、スキャン解像度を選択するＬＥＤ、記録紙を選択するＬＥＤ、インク残量を示すＬＥＤ等がある。このように、プリンタ、スキャナ、ファクシミリやその複合機等では、さまざまな種類の表示をそれぞれ別々に配置したＬＥＤで表現していた。
【０００４】
また、ＬＥＤの点灯と点滅、あるいはさらに表示色の組合わせで、異なる情報（たとえば携帯電話の複数の着信状態）を表示する構成も知られている（下記の特許文献１および２）。このような構成によれば点灯／消灯の２値よりも多い数の表示状態を形成できる。
【特許文献１】特開平１０−１６４６６４号公報
【特許文献２】特開２００２−１９８５６７号公報
【発明の開示】
【発明が解決しようとする課題】
【０００５】
ところが、従来方式では、それぞれ２値あるいはそれ以上の数の表示状態を必要とするさまざまな情報表示のために表示用途専用のＬＥＤをそれぞれ１つづつ設けなければならない。
【０００６】
このため、上記特許文献１および２におけるように、点灯状態や表示色による表示制御を行ないＬＥＤの数を減らすにしても限界があり、ＬＥＤの使用数が多くなりがちである。たとえばコスト削減のためＬＥＤの数を減らしたくても、従来方式では表示すべき情報の種類の数よりもＬＥＤの数を少なくすることは殆んど不可能である。
【０００７】
また、消費電力について考えても、ＬＥＤ１つでおよそ１０〜１５ｍＡの点灯電流を消費し、使用数量が多くなるほど、消費電力もこれに応じて増加することになる。
【０００８】
なお、以上では発光手段ないし表示用の光源として、ＬＥＤを示したが、上記の問題は他の素子が発光手段ないし表示用の光源として用いられる場合にも共通するものである。
【０００９】
本発明の課題は、上記の問題に鑑み、情報表示用の光源として、機器内に本来は表示用途以外の目的で設けられた光源を共用することにより、表示すべき情報の種類の数よりも表示用の光源の数を減少させることができるようにすることにある。
【課題を解決するための手段】
【００１０】
上記課題を解決するため、本発明においては、原稿に沿って副走査移動を行ないつつ、光源により原稿を照明し原稿の画像データを読み取る画像読取手段、および前記画像読取手段の副走査移動を行なうための駆動手段を有する画像処理装置、および画像処理装置の制御方法において、前記駆動手段により前記画像読取手段を所定の表示ポジションへ移動し、前記画像読取手段の光源を駆動して装置状態に関する情報ないし警告情報を表示する構成を採用した。
【００１１】
あるいはさらに、前記表示手段の前記表示ポジションが前記画像読取手段の原稿の読取可能な副走査範囲に沿って配置され、前記画像読取手段の画像読取中に駆動される光源の発光を用いて実行中の画像読取位置に関する情報を前記表示手段により表示する構成を採用した。
【００１２】
あるいはさらに、前記表示手段の前記表示ポジションが前記画像読取手段の原稿の読取可能な副走査範囲外に配置され、前記駆動手段により前記画像読取手段を当該表示ポジションへ移動し、前記画像読取手段の光源を駆動して前記装置状態に関する情報ないし警告情報の表示を行なう構成を採用した。
【００１３】
あるいはさらに、前記画像読取手段の光源がそれぞれ異なる色で発光する複数の光源から構成され、発光させる光源を選択することにより前記表示に複数色の発光色表現を用いる構成を採用した。
【００１４】
あるいはさらに、前記画像読取手段の光源を点滅制御する、あるいはその点灯時間を制御する発光制御を行なうことにより、それぞれの発光制御において異なる情報を表示する構成を採用した。
【発明の効果】
【００１５】
上記構成によれば、情報表示に、機器内の表示用途以外の光源、特に画像読取手段の光源を共用するようにしているので、表示すべき情報の種類の数よりも表示用の光源の数を減少させ、装置のハードウェアのコストおよび消費電力を削減することができる。
【００１６】
画像読取手段の光源を用いた表示手段により表示する情報としては、装置状態に関する情報ないし警告情報を含む。装置状態に関する情報としてはたとえば、実行中の画像読取位置に関する情報や、画像処理に必要な資源、たとえば、メモリ容量（残量）、インクやトナーの残量などが考えられる。また、警告情報としては、メモリ容量（残量）、インクやトナーなどの画像処理に必要な資源それらが僅少となった場合に発生（ユーザに通知）する警告情報が考えられる。
【００１７】
そして、たとえば上記のように、画像読取手段の光源を用いた表示手段の表示ポジションを画像読取手段の原稿の読取可能な副走査範囲に沿って配置する構成においては、画像読取手段の画像読取中に駆動される光源の発光を用いて実行中の画像読取位置に関する情報を表示することができる。
【００１８】
また、画像読取手段の光源を用いた表示手段の表示ポジションを画像読取手段の原稿の読取可能な副走査範囲外に配置する構成においては、駆動手段により前記画像読取手段を当該表示ポジションへ移動し、画像読取手段の光源を駆動して装置状態に関する情報ないし警告情報（たとえば上記のメモリ容量（残量）、インクやトナーなどの画像処理に必要な資源の残量やそれに関する情報ないし警告情報）の表示を行なうことができる。
【発明を実施するための最良の形態】
【００１９】
以下、本発明を実施する最良の形態を説明するため、画像読取装置に関する実施例を示す。
【００２０】
この種の画像読取装置は、たとえば複写機、プリンタ、スキャナ、ファクシミリ、およびこれらの複合機等の画像形成装置本体に、画像形成装置の構成要素の一部として設けられる。画像読取装置で読み取った読取情報は、外部のパーソナルコンピュータなどに画像が転送される他、画像形成装置の画像形成部（画像形成手段）や、外部のプリンタにより紙などのシート材料に画像形成される。
【実施例１】
【００２１】
図１は本発明を採用した画像読取装置の主要部の構成を示している。図１において、符号１０１は読み取った原稿画像を電気的な画像信号に変換する密着型イメージセンサ（ＣＩＳ）であり、フォトダイオード１０２、マイクロレンズアレイ１０３、ＬＥＤアレイ１０４から構成されている。
【００２２】
ＣＩＳ１０１は、後述の走査手段（ステッピングモータ１１９、モータ制御回路１２０）により原稿台ガラス１０５下部でスキャン方向（原稿の副走査方向）に1ライン毎に移動走査しつつ画像読取を行なう。
【００２３】
原稿ガラス台１０５の原稿面には白黒基準マーク１０６が設けられている。この白黒基準マーク１０６は原稿ガラス台１０５端部の原稿読取開始位置に配置されている。
【００２４】
ＣＩＳ１０１に一体化されたＲｅｄ、Ｇｒｅｅｎ、ＢｌｕｅからなるＬＥＤアレイ１０４は読取光源として用いられるものである。そして、ＣＩＳ制御回路１０７にて１ライン毎に各色のＬＥＤを切り替えて点灯させることにより、Ｒ、Ｇ、Ｂの順序でカラー画像を読み取ることが可能である。
【００２５】
符号１０８はＡ／Ｄ変換器（Ａ／Ｄコンバータ）で、ＣＩＳ１０１の出力を増幅する不図示の増幅器を含み、この増幅器により増幅されたＣＩＳ１０１の出力をＡ／Ｄ変換（アナログ−デジタル変換）し、たとえば８ビットのデジタル画像データを出力する。
【００２６】
符号１０９はシェーディング補正回路で、たとえば白黒基準マーク１０６から均一濃度を読み込んだときの画像読取出力レベルのバラつきを補正する。
【００２７】
符号１１０はシェーディングＲＡＭで、シェーディング補正処理のために白黒基準マーク１０６の白領域、黒領域を別々に読み取って、各々のデータを演算処理することにより得られたシェーディング補正用データを記憶する。シェーディング補正回路１０９はこのシェーディングＲＡＭ１１０内のデータに基づいて、ＣＩＳ１０１で読み取った画像データのシェーディング補正を行なうのである。
【００２８】
符号１１１はデジタル画像ピーク値検出回路であり、Ａ／Ｄ変換器１０８が出力するデジタル画像データの１ラインのピーク値をホールドし、１ライン毎にＣＰＵ１１５が読み取ることができるように構成されている。
【００２９】
符号１１２は画像処理回路で、誤差拡散処理、エッジ強調処理、スムージング処理、ガンマ変換処理、変倍処理等の画像処理を行なう。
【００３０】
この画像処理後の画像データを記憶するバッファメモリとしてはＲＡＭ１１７を使用する。ＲＡＭ１１７へのデータ転送はＲＡＭ制御回路１１６を経由して行なう。
【００３１】
符号１１３はインターフェース回路で、外部のホストコンピュータ１１４に画像データを送信したり、ホストコンピュータ１１４の指示を受け付け、ＣＰＵ１１５が命令を受信する。
【００３２】
符号１１５はたとえばマイクロコンピュータ形態のＣＰＵであり、処理手順を格納したＲＯＭ１１８の手順にしたがって各部の制御を行ない、これにより画像読取動作全体を制御する。すなわち、ＣＰＵ１１５はＣＩＳ制御回路１０７を介したＣＩＳ１０１のＬＥＤアレイ１０４の発光制御を行なう。また、ＣＰＵ１１５は、ステッピングモータ１１９を制御するモータ制御回路１２０を介してＣＩＳ１０１の移動制御を行なう。
【００３３】
符号１１６はＲＡＭ制御回路であり、たとえばＤＭＡコントローラなどから構成され、上記各処理手段の動作に際し、ＲＡＭ１１７へのアクセスに関するアービテーション制御を行なうようにしている。符号１１７、１１８はそれぞれ上述のＲＡＭとＲＯＭである。
【００３４】
符号１１９は、上述のようにＣＩＳを副走査方向に移動させるためのステッピングモータであり、１２０はステッピングモータ１１９の駆動を制御するためのモータ制御回路である。
【００３５】
本実施例では、符号１２１、１２２、１２３で示された３つの表示手段を設けている。このうち、表示手段１（１２１）は表示専用のＬＥＤにより構成するが、表示手段２（１２２）および表示手段３（１２３）はＣＩＳ１０１のＬＥＤアレイ１０４を利用して表示動作を行なう。
【００３６】
まず、符号１２１は表示手段１で、表示専用ＬＥＤを使用した表示手段で、電源ＯＮ／ＯＦＦ、モノクロ／カラーモードの選択状態、読取解像度選択状態などを表示するために用いられる。表示手段１（１２１）は、単数、あるいは上記の表示機能を実現するに足りる数の表示専用のＬＥＤにより構成する。
【００３７】
符号１２２は表示手段２で、ＣＩＳ１０１のＬＥＤアレイ１０４を使って表示する表示手段で、エラー表示とインク残量を表示するために使用する。この表示手段２（１２２）は、ＣＩＳ１０１を原稿読取範囲外に移動させてＣＩＳ１０１のＬＥＤアレイ１０４を駆動することにより表示発光を行なうが、表示手段２（１２２）の位置関係については図２、３を用いて後述する。
【００３８】
表示手段２（１２２）で表示すべきエラーは種類がいくつかあるが、従来はこのようなエラー表現に専用ＬＥＤを用い、たとえば点滅回数やそのインターバルを制御することによりエラー表示を行なっていた。
【００３９】
これに対して、本実施例ではＣＩＳ１０１のＬＥＤアレイ１０４の３色ＬＥＤを使用することが可能であり、これにより少なくとも７種類の色を表示することができ、エラー内容についてもより分かり易くユーザに伝えることができる。また、このように点灯／消灯だけでなく点滅表示も使用する、あるいはさらに表示色を制御することにより、さらに多くの表現が可能になる。
【００４０】
表示手段２（１２２）で表示すべきインク残量表示であるが、本実施例ではインク残量に応じて３つの表示位置で表示を行なうことによりインク残量を表現する。つまりインクの残量に応じて、ＣＩＳ１０１の停止位置を変えることで表示内容を変化させるようにしている。この場合もさらにインク残量に応じてＬＥＤの点灯／消灯、点滅表示、色などを変化させることによって、より多くのインク残量表示を行なうことができる。
【００４１】
さらに、符号１２３は表示手段３であるが、本実施例ではこの表示手段３（１２３）は後述のように原稿読取範囲内の異なる表示位置においてＣＩＳ１０１の走査（読取）位置をユーザに伝えるための表示手段として機能する。
【００４２】
たとえば、本実施例のようないわゆるフラットベッド構成のスキャナ装置では、オートシートフィーダが設けられていない場合には、原稿コピー動作を行なう場合は、読み取りごとにユーザが原稿台ガラス１０５上の原稿を１枚づつ交換していく。多くの装置では原稿台ガラス１０５上には遮光および原稿と原稿台ガラス１０５の密着性を考慮して原稿カバー（ないし圧板：不図示）が配置されるのが普通である。そして、この原稿カバーを閉じてしまうと、通常ＣＩＳ１０１の動きは殆んど視認できなくなる（原稿カバーを閉じてもＣＩＳ１０１のＬＥＤアレイ１０４の光が楽に見えるようであれば遮光性に問題がある、ということになる）。
【００４３】
したがって、従来ではこのような読取操作を行なう場合、ユーザは１枚の原稿に対するＣＩＳ１０１の読取がいつスタートし、いつ終了するかを殆ど知ることができない。そしてユーザは、原稿台ガラス１０５の縁部分からわずかに漏れるＣＩＳ１０１の照明光などを頼りに原稿の交換時期を判断していかなければならない。そして、このような従来構成では、原稿の除去タイミングなどを間違えることにより読み取りに失敗する可能性がかなりある。
【００４４】
しかしながら、本実施例では、ＣＩＳ１０１のＬＥＤアレイ１０４の照明光を利用して、表示手段３（１２３）を介してＣＩＳ１０１の読み取り中の走査位置を表示するようにしている。これにより、ＣＩＳ１０１の読み取りがいつスタートし、いつ終了するか、現在どの位置を読み取っているかなどをユーザが認識することができる。表示手段３の配置位置についても後でさらに詳細に説明する。
【００４５】
図２は画像読取装置の断面を図１と同じ方向からさらに詳細に示した図、図３は画像読取装置の上面を示した図である。以下、図２および図３を参照してＣＩＳ１０１を用いて上記の表示手段２および３（１２２、１２３）をどのように構成するか、特にＣＩＳ１０１の位置（ポジション）についてさらに説明する。
【００４６】
ＣＩＳ１０１は主走査方向の１ライン毎のデータを図２および図３の矢印Ａ方向に移動しながら順次読み込むようになっている。
【００４７】
図２において、符号２０２はＣＩＳ１０１を保持しているホルダである。２０３はばねで、ＣＩＳ１０１とホルダ２０２との間に設けてあり、スペーサ２０４を介してＣＩＳ１０１を原稿台ガラス１０５に押圧している。スペーサ２０４は、ＣＩＳ１０１と原稿台ガラス１０５との距離を一定に保って、ＣＩＳ１０１のピントを調節している。
【００４８】
符号２０７はベルトで、ホルダ２０２にステッピングモータ１１９の回転力を不図示の減速ギア、プーリなどからなる駆動系を介して伝達するようになっている。
【００４９】
白黒基準マーク１０６は、原稿台ガラス１０５の上面に貼り付けて形成、あるいは原稿台ガラス６に所定色（所定濃度）の塗料を塗布することなどにより構成される。また、白黒基準マーク１０６は、原稿が載置される領域外（原稿の読取範囲外）に配置してある。
【００５０】
ホルダ２０２は、ベルト２０７の一方の側に固定してある。ホルダ２０２は、ステッピングモータ１１９の駆動によって、矢印Ａ方向と矢印Ｂ方向とに移動するようになっている。画像読み取り時は、ホルダ２０２をＣＩＳ１０１とともに、画像読取ポジション２１２から矢印Ａ方向に移動させて、原稿を読み取るようにしている。２０８は画像読取装置の筐体である。
【００５１】
図３において、符号２０９は画像読取装置のオペレーションパネルである。このオペレーションパネル２０９上には電源キー、スタートキー、解像度選択キー等の各種キー３０１が設けられる。
【００５２】
また、オペレーションパネル２０９上には、さらに電源ＯＮ／ＯＦＦ、解像度選択等の表示として専用ＬＥＤを使用する表示手段１（１２１）が配置される。これとともに、エラー表示、インク残量表示としてＣＩＳ１０１のＬＥＤアレイ１０４を光源として使用する表示手段２（１２２）もオペレーションパネル２０９に配置される。
【００５３】
図２の２１０はＬＥＤ光ガイドで、表示ポジションａ１〜ａ４の各位置に設けられており、ＣＩＳ１０１のＬＥＤアレイ１０４とともに表示手段２（１２２）を構成する。各ＬＥＤ光ガイド２１０は、ＬＥＤアレイ１０４の光をオペレーションパネル２０９上でユーザが視認できるよう伝達する。
【００５４】
もし、画像読取装置の動作中にエラーが発生した場合には、表示手段２（１２２）を使用してユーザに対してエラー内容を伝えることになる。このとき、ＣＩＳ１０１をステッピングモータ１１９の駆動によって表示ポジションａ１に移動して、ＣＩＳ制御回路１０７を介してＬＥＤアレイ１０４のＲｅｄ、Ｇｒｅｅｎ、ないしＢｌｕｅの３つのＬＥＤに対して点灯あるいは点滅制御を行い、エラー表示を行なう。
【００５５】
同様に、表示ポジションａ２〜表示ポジションａ４はインク残量表示用のポジションで、インク残量に応じて、ＣＩＳ１０１をステッピングモータ１１９の駆動によって表示ポジションａ２〜表示ポジションａ４のいずれかの位置に移動し、停止させる。そして、ＣＩＳ制御回路１０７を介してＬＥＤアレイ１０４のＲｅｄ、Ｇｒｅｅｎ、ないしＢｌｕｅの３つのＬＥＤに対して点灯を行なう。このときに表示ポジションの位置によって表示する色を変えてもよい。たとえばインクがほとんど無くなったときにはその表示ポジションに移動して、ＲｅｄのＬＥＤを点灯することで、インクが少なくなっていることを分かり易く警告することができる。
【００５６】
さらに、ＣＩＳ１０１のＬＥＤアレイ１０４の制御に関しては、Ｒｅｄ、Ｇｒｅｅｎ、Ｂｌｕｅのいずれかが複数点灯する場合において、各ＬＥＤの点灯時間を各々変えることで表示手段２および３（１２２、１２３）の色表現をさらに細かく変化させることもできる。
【００５７】
なお、図２に示すように、表示手段（２）１２２の表示ポジションａ１〜表示ポジションａ４は画像読み取りのための副走査方向に相互に離間して配置されているので、ＣＩＳ１０１をエラー表示にて使用している時は、インク残量表示としてＣＩＳ１０１を使用することはできない。したがって、インク残量表示はあくまでも装置がエラー状態でない時に有効である。
【００５８】
一方、原稿読取範囲内にある表示手段３（１２３）は、ＣＩＳ１０１が原稿をスキャンしている時にＣＩＳ１０１がどの位置にあるかすなわち、原稿のどの位置を読み取っているかがユーザに判るようにするための表示手段として機能する。
【００５９】
このため、ＣＩＳ１０１のＬＥＤアレイ１０４とともに表示手段３（１２３）を構成する各ＬＥＤ光ガイド２１１は、副走査方向に沿って相互に離間して５箇所の表示ポジションｂ１〜ｂ５に点在するよう配置してある。
【００６０】
また、図３に示すように各ＬＥＤ光ガイド２１１は、当然ながら原稿台ガラス１０５の外側に配置される。また、各ＬＥＤ光ガイド２１１の寸法は原稿を上から押さえるための原稿カバー（不図示）が原稿上にある状態でも、十分表示手段３（１２３）の表示状態を見ることができるような長さにしている。
【００６１】
また、ＬＥＤ光ガイド２１１から外光がＣＩＳ１０１に入射すると画像出力データに影響が出るので、図３の原稿読取装置のＬＥＤ光ガイド２１１部分の断面（Ｃ）部分を拡大した図４に示すように、外光防止壁４０１（遮光板）をＣＩＳ１０１内に設けてある。外光防止壁４０１は、ＬＥＤ光ガイド２１１から入射した外光が、ＣＩＳ１０１（図４では不図示）のフォトダイオード１０２の方向へ入射しないように遮光するもので、ＣＩＳ１０１内部の寸法などの条件に応じてできる限り大きなサイズとする。当然ながら、外光防止壁４０１は、反射防止など必要な措置を講じた樹脂や金属などの材料から構成する。
【００６２】
このような構成により、外光がＣＩＳ１０１のフォトダイオード１０２に入射して画像出力データが劣化するのを防止することができる。
【００６３】
上記構成により、画像読み取り走査の際、ユーザはＣＩＳ１０１のＬＥＤアレイ１０４の光を各ＬＥＤ光ガイド２１１を介して視認できる。すなわち、画像読み取り走査につれてＣＩＳ１０１のＬＥＤアレイ１０４の光が見える表示ポジションｂ１〜ｂ５の各ＬＥＤ光ガイド２１１が切り替っていくのを視認することができる。これにより、表示手段２（１２３）を介して、ユーザはＣＩＳ１０１が原稿のどの位置を読み取っているかを容易に識別でき、原稿の交換などの作業を効率よく、また誤操作なしに行なえる。
【００６４】
表示手段２（１２３）の場合は、読み取り中の表示であるため、点灯色や点滅／消灯などの制御が不可能である。それでも、たとえばＬＥＤアレイ１０４の各色のＬＥＤを個別に点灯させて行なうカラー読み取りの場合には、現在の読み取り色をユーザは認識することができる。
【００６５】
なお、本実施例では、上述のような位置関係で画像読取装置を構成したが、本発明を実施するに際しては、もちろん、上述のような詳細態様に限定されることなく画像読取装置の形状、大きさ等に合わせて各部の位置関係を変更可能である。
【００６６】
たとえば、表示手段２および３（１２２、１２３）を構成するＬＥＤ光ガイド２１０、２１１の個数や寸法などは任意である。
【００６７】
特にＬＥＤ光ガイド２１１の場合は、図示のように副走査方向に離間して配置するのではなく、副走査方向に延びる長尺の１部材から構成することも考えられる。この場合は、ＬＥＤの発光位置を識別しやすくするためと、また外光の影響をできるだけ低減するためにＬＥＤ光ガイド２１１の材料に透過率の小さい材料、あるいは散乱の大きい半透明材料などを用いるようにする。このような構成によれば、ＣＩＳ１０１の連続的に変化する読み取り位置をより詳細に把握することができる。
【００６８】
また、本実施例ではＣＩＳ１０１のＬＥＤアレイ１０４を使用した表示手段を画像読取範囲内に位置させて表示を行なう表示手段２（１２２）と、画像読取範囲外に位置させて表示を行なう表示手段３（１２３）の２種類が使用可能な構成を示した。もちろんこれらは両方とも設ける必要はなく、装置の仕様などに応じていずれか一方のみを用いるような構成でもよい。
【００６９】
ここで、図５にＣＩＳ１０１のＬＥＤアレイ１０４を表示手段として使用する場合の処理手順を示す。図示の手順はＣＰＵ１１５の制御プログラムとしてたとえばＲＯＭ１１８に格納しておくことができる。
【００７０】
図５において、装置の電源キーをオン（ステップＳ５０１）すると、装置のイニシャライズがスタートする（ステップＳ５０２）。この時にエラーがあれば（ステップＳ５０３）、ＣＩＳ１０１をエラー表示ポジションａ１（図２）に移動して（ステップＳ５０４）、ＬＥＤアレイ１０４のＲｅｄ_ＬＥＤを点滅させる（ステップＳ５０５）。このときの点滅回数については、エラー内容に応じて変化させるようにする。
【００７１】
また、イニシャライズ時にエラーがなければ、インク残量チェックを行なう（ステップＳ５０６）。そして、インク残量レベル３（ステップＳ５０７）であればＣＩＳ１０１を表示ポジションａ２（図２）に移動させる（ステップＳ５０８）。インク残量レベル２（ステップＳ５０９）であればＣＩＳ１０１を表示ポジションａ３（図２）に移動させる（ステップＳ５１０）。インク残量レベル１（ステップＳ５１１）であればＣＩＳ１０１を表示ポジションａ４に移動させる（ステップＳ５１２）。そして、ＣＩＳ１０１のＬＥＤアレイ１０４のＢｌｕｅを点灯させ（ステップＳ５１３）、その後装置をスタンバイ状態にする（ステップＳ５１４）。
【００７２】
また、インク残量チェック時にインク残量レベル１〜３のいずれにも該当せず、インク無しと判断した場合には、ＣＩＳ１０１をエラー表示ポジションａ１（図２）に移動させる（ステップＳ５０４）。そして、ＬＥＤアレイ１０４のＲｅｄ_ＬＥＤを所定の回数点滅させる（ステップＳ５０５）。
【００７３】
以上のようにして、表示手段２（１２２）を用いて、起動時のエラー、およびインク残量レベル１〜３の報知、ないしインク残量なしなどの情報表示を行なうことができる。
【００７４】
以上の説明から明らかなように、表示手段２（１２２）および表示手段３（１２３）には、専用のＬＥＤを用いる必要がなく、部品点数の節約、およびハードウェアコストおよび消費電力低減、などの効果を期待できる。
【００７５】
また、表示手段３（１２３）に関しては、何ら余計な表示制御を必要とせず、画像読取動作を実行するだけで、ＣＩＳ１０１が原稿のどの位置を読み取っているかを容易に識別でき、ユーザの操作を的確に補助できる。これにより、ユーザは原稿の交換などの作業を効率よく、また誤操作なしに行なえる、極めてユーザフレンドリな製品を提供できる、という優れた利点がある。
【００７６】
なお、本実施例では、画像読取手段の光源を用いて表示手段を構成するが、この表示手段により表示する装置状態に関する情報としては、実行中の画像読取位置に関する情報や、インク残量などを示した。他にも、この表示手段により表示する装置状態に関する情報としては、メモリ容量（残量）や用紙の残量などに関する情報が考えられる。また、上記表示手段により表示する警告情報としては、メモリ容量（残量）に関する警告情報を考えたが、この警告情報は、もちろん他の資源、たとえばメモリ容量（残量）や用紙の残量などに関する警告情報であってもよい。
【００７７】
また、以上では、画像読み取りおよび表示のための光源として、ＬＥＤを例示したが、他の適当な駆動方式の光源を画像読み取りおよび表示のために設ける構成においても、本発明が有用であることはいうまでもない。
【産業上の利用可能性】
【００７８】
本発明は、画像読み取り手段を有する種々の画像処理装置（ＭＦＰやイメージスキャナ）において実施することができる。画像処理装置の出荷時から画像処理装置のＲＯＭなどのメディアに格納しておく他、種々の外部記憶媒体（ＣＤＲＯＭ、フレキシブルディスクなど）からこれらの装置に供給することができる。あるいは本発明を実施するのに必要な制御プログラムは、任意のサーバからネットワーク経由で供給（インストールあるいはアップデート）することもできる。
【図面の簡単な説明】
【００７９】
【図１】本発明を採用した画像処理装置の要部構成を示した説明図である。
【図２】本発明を採用した画像処理装置の要部構成をより詳細に示した断面図である。
【図３】本発明を採用した画像処理装置の要部構成をより詳細に示した上面図である。
【図４】図３のＣＩＳ端部の構成をより詳細に示した断面図である。
【図５】本発明を採用した画像処理装置の制御例を示したフローチャート図である。
【符号の説明】
【００８０】
ａ１〜ａ４  表示ポジション
ｂ１〜ｂ５  表示ポジション
１０１  ＣＩＳ
１０２  フォトダイオード
１０３  マイクロレンズアレイ
１０４  ＬＥＤアレイ
１０５  原稿台ガラス
１０６  白黒基準マーク
１０７  ＣＩＳ制御回路
１０９  シェーディング補正回路
１１０  シェーディングＲＡＭ
１１４  ホストコンピュータ
１１５  ＣＰＵ
１１６  ＲＡＭ制御回路
１１７  ＲＡＭ
１１９  ステッピングモータ
１２０  モータ制御回路
２１０、２１１  ＬＥＤ光ガイド
【図１】
2007134855.tif 000003
【図２】
2007134855.tif 000004
【図３】
2007134855.tif 000005
【図４】
2007134855.tif 000006
【図５】
2007134855.tif 000007